(57)【要約】【課題】従来のナースコール装置は、ベッド毎に壁取り付け子機が設けられているため、自由なベッド配置が出来ない、１つの病室のベッド台数が固定化されてしまう、廊下灯から病室にある壁取り付け子機へ複数台分の配線をしなければならず、配線工事費がかかるという難点があった。壁取り付け子機１台に複数のナースコール子機を接続することを課題とする。【解決手段】ナースコール子機に接続を中継するコネクタを設け、コネクタの大きさと形状、ピン数、ピン配置をすべてのナースコール子機及び壁取り付け子機で同一にして、壁取り付け子機に接続する複数のナースコール子機を、中継するコネクタを介してシリアル（順次連続的）に接続できる手段を設ける。【選択図】図１
2008136111.tif 000002
【特許請求の範囲】
【請求項１】
呼び出し機能と通話機能を有する複数のナースコール子機と、病室の壁面に取り付けられ前記複数のナースコール子機を接続する壁取り付け子機と、病室の出入り口近傍に設けられ前記壁取り付け子機と接続して患者からの呼び出しを廊下にいる看護師に知らせる廊下灯と、前記廊下灯と通信を行い前記複数のナースコール子機と通話するためのナースコール親機とから構成されるナースコール装置において、
前記複数のナースコール子機に他のナースコール子機を接続して中継するためのコネクタを設け、前記コネクタに前記他のナースコール子機をシリアル接続することにより、前記壁取り付け子機１台に対して前記複数のナースコール子機を接続したことを特徴とするナースコール装置。
【請求項２】
前記壁取り付け子機１台に対して接続される前記複数のナースコール子機は、各々独立してナースコール呼び出しを行うことができ、ナースコール親機と同時に通話することができることを特徴とする請求項１記載のナースコール装置。
【請求項３】
前記壁取り付け子機１台に対して接続される前記複数のナースコール子機は、各々独立してナースコール呼び出しを行い、
前記壁取り付け子機または前記廊下灯は、呼び出しを行ったナースコール子機を判別して前記ナースコール親機へ通知するとともに、前記ナースコール親機の応答信号に従って、前記呼び出しを行ったナースコール子機を選択して、前記呼び出しを行ったナースコール子機と前記ナースコール親機とが通話できるようにすることを特徴とする請求項１記載のナースコール装置。
【発明の詳細な説明】
【技術分野】
【０００１】
本発明は、病院や福祉介護施設で使用されるナースコール装置に関する。
【背景技術】
【０００２】
周知の様に、病院や福祉介護施設では主に看護師（福祉介護施設では介護士など）と患者が通話する為のナースコール装置が設置されている。このナースコール装置では、患者が呼び出しに使用するナースコール子機が各ベッドに備えられ、ナースステーションにはナースコール親機が設置されていて、その間で通話できるようになっている（特許文献１を参照）。
【０００３】
従来のナースコール装置は、各患者の頭部側の壁面に壁取り付け子機が設置され、壁取り付け子機からベッドまで接続線が延ばされてナースコール子機と接続されていた。従って、４床用の病室では壁取り付け子機は４台、６床用の病室では６台設置される。
【特許文献１】特開２００３−１２６１８３号公報
【発明の開示】
【発明が解決しようとする課題】
【０００４】
従来のナースコール装置は、ベッド毎に壁取り付け子機が設けられているため、自由なベッド配置ができない、１つの病室のベッド台数が固定化されてしまうなどの難点があった。
【０００５】
また、病室の出入り口近傍に設けられ廊下灯から病室にある壁取り付け子機へ複数台分の配線をしなければならず、配線工事費がかかるという難点があった。
【０００６】
本発明は、上記の難点を解決するために成されたもので、壁取り付け子機１台に複数のナースコール子機を接続することを課題とする。
【課題を解決するための手段】
【０００７】
ナースコール子機に接続を中継するコネクタを設け、コネクタの大きさと形状、ピン数、ピン配置をすべてのナースコール子機及び壁取り付け子機で同一にして、壁取り付け子機に接続する複数のナースコール子機を、中継するコネクタを介してシリアル（順次連続的）に接続できる手段を設ける。
【０００８】
壁取り付け子機からシリアルに接続するナースコール子機は、音声信号をアナログ信号で伝送し、シリアルに接続されたナースコール子機を同時に通話できる方式（これを手段１と呼ぶことにする）においては、一番末端に接続されるナースコール子機の線路インピーダンスを壁取り付け子機の線路インピーダンスと同一に設定する手段を備え、末端のナースコール子機以外は高インピーダンスの設定とする手段を備える。
【０００９】
壁取り付け子機からシリアルに接続するナースコール子機は、音声信号をアナログ信号で伝送し、呼び出しを行ったナースコール子機だけが廊下灯または壁取り付け子機から選択されて通話できる方式（これを手段２と呼ぶことにする）においては、ナースコール子機毎に呼び出しボタンに直列に重み付けした抵抗値を持つ抵抗器を接続し、呼び出しボタンを押された際に廊下灯または壁取り付け子機が抵抗値から呼び出しを行ったナースコール子機を判断する手段を備え、廊下灯は呼び出したナースコール子機の番号をナースコール親機に伝送し、ナースコール親機から応答を受けると廊下灯または壁取り付け子機は呼び出しを行ったナースコール子機を選択する手段を持ち、選択されたナースコール子機のスピーカおよびマイクロフォンの回路がオンになり、ナースコール親機と通話することができる。
【００１０】
壁取り付け子機からシリアルに接続するナースコール子機は、音声信号を符号化して呼び出し信号やナースコール子機を選択する制御信号と共にデジタル信号で伝送し、呼び出しを行ったナースコール子機だけが廊下灯から選択されて通話できる方式（これを手段３と呼ぶことにする）においては、ナースコール子機毎に子機番号を設定する手段を備え、呼び出しボタンを押された際にナースコール子機から廊下灯へ子機番号が伝送され、廊下灯は呼び出したナースコール子機の番号をナースコール親機に伝送し、ナースコール親機から応答を受けると廊下灯は呼び出しを行ったナースコール子機を選択するデジタル信号を伝送し、選択されたナースコール子機のスピーカおよびマイクロフォンの回路がオンになり、ナースコール親機と通話することが出来る。
【発明の効果】
【００１１】
本発明に拠れば、壁取り付け子機は１つの病室に最小限１台設置すれば良いことになり、経済的である。また、廊下灯と壁取り付け子機の配線は１系統分で済み、配線工事が容易になり配線費用も低減できる。
【００１２】
本発明によれば、病室のベッド配置について壁取り付け子機による制限がなくなり、自由なベッドの配置にしたり、配置変更も自由に行ったりすることが可能である。また、１つの病室でナースコール子機の台数を増加または減少させることも容易に実施できる。
【発明を実施するための最良の形態】
【００１３】
以下、本発明の実施形態を図面に基づいて説明する。図１は、１台の壁取り付け子機に複数台のナースコール子機がシリアルに接続されている構成図を示す。病室内の壁面に壁取り付け子機（２）が設置され、中継コネクタ（４３）に接続コネクタ（７）を挿入して接続線（４）を通してナースコール子機（３）が接続される。さらにナースコール子機（３）に備えられている中継コネクタ（４３）に他のナースコール子機（３）の接続コネクタ（７）が挿入されて順次シリアルに複数台のナースコール子機（３）が接続される。
【００１４】
ナースコール子機（３）には、スピーカ（５）と呼出ボタン（６）とマイクロフォン（図示していない）と中継コネクタ（４３）などが備えられていてナースコール親機と通話することが出来る。一方、壁取り付け子機（２）から接続線（４）を介して廊下灯（１）が接続されている。廊下灯（１）は病室の出入り口近傍に設置され、廊下を通過中の看護師に表示灯や鳴動音でナースコール呼び出しがあることを報知する。また、廊下灯（１）はナースコール親機と通信を行って呼び出しがあることを知らせる。
【００１５】
従来のナースコール装置の接続例を図９に示す。ナースコール親機（４２）から接続線（４）を介して複数の廊下灯（１）が接続される。廊下灯（１）から病室に必要な台数の壁取り付け子機（２）が接続され、壁取り付け子機（２）の１台と対になってナースコール子機（３）が各ベッドに備えられる。ナースコール子機（３）には呼出ボタンだけがあり壁取り付け子機（２）側に通話できるマイクロフォンとスピーカが備わっている握り押しボタンタイプのものと、ナースコール子機（３）に通話できる機能を備えたハンド形タイプのものがある。
【００１６】
図２は、壁取り付け子機（２）からナースコール子機（３）がシリアルに接続したブロック図を示し、手段１に相当する。音声信号はアナログ式で壁取り付け子機（２）側と末端のナースコール子機（３）には線路インピーダンスを整合する部品１０（インピーダンス整合トランスなど）が備えられる。中間のナースコール子機（３）は高いインピーダンスの増幅器（９）で接続する。すべてのナースコール子機（３）にはインピーダンスを整合する部品（１０）が内蔵されているが、最終端に接続されるナースコール子機のみスイッチによりインピーダンスを整合する部品（１０）が接続されるように設定する。
【００１７】
呼出ボタン（６）のいずれかが押されると、壁取り付け子機（２）または廊下灯が呼び出しを検知してナースコール親機（４２）へ通知する。ナースコール親機で呼び出しの応答を行うと、その病室の全てのナースコール子機（３）でマイクロフォン（８）およびスピーカ（５）を利用して通話することが出来る。
【００１８】
図４は、呼出ボタン（１６、１７、１８）のいずれが押されても廊下灯の呼出検出部（１５）が呼び出しを検出する構成を示していて、図２の呼び出し部分を抜き出して示した図である。
【００１９】
図３は、呼び出しを行ったナースコール子機（３）だけが選択されて通話出来るナースコール子機をシリアルに接続したブロック図を示し、手段２に相当する。図２においては、同一の病室内では患者と看護師との通話を全員が聞くことができるが、各患者のプライバシーを重んじる場合は、図３の構成の様に選択された患者のみが通話できるようにする必要がある。
【００２０】
図３において、呼出ボタン（６）には直列に抵抗値が重み付けされた抵抗器（１４）が接続され、抵抗値の違いによってどのナースコール子機（３）の呼出ボタン（６）が押されたか廊下灯で検出出来るように様になっている。具体的には、廊下灯の定電圧源が抵抗器（１４）に印加されると抵抗値の違いによって流れる電流が変化し、電流の違いを検出する。図５は、図３の呼び出し部分を抜き出して示した図で、呼出ボタン（１９、２０、２１）に対して抵抗器（２２、２３、２４）がそれぞれボタンに直列に接続している。それぞれの抵抗器は異なる抵抗値を持つため呼出検出部（１５）ではどのボタンを押されたか検出できる。
【００２１】
複数の呼出ボタン（６）が同時に押されても抵抗値に重み付けがされているので、どのボタンが押されたか判る。抵抗値は例えば２進数で１R、２R、４R、８R（Rはある抵抗値）などを採用し、ナースコール子機（３）毎にどの抵抗値を採用するかスイッチで選択できる。ナースコール子機（３）には抵抗値の選択と連動して、または独立に子機番号を選択する手段を備える。
【００２２】
呼び出しを行ったナースコール子機（３）が廊下灯（１）または壁取り付け子機（２）の子機選択部（１１）の信号で選ばれ、その信号を受けた子機選択回路（１２）が自分の子機番号と一致していると動作してスピーカ（５）とマイクロフォン（８）の回路をスイッチ（１３）で接続して通話可能にする。
【００２３】
図６は、ナースコール子機（３）を選択する説明図である。廊下灯（１）または壁取り付け子機（２）の子機選択部（１１）から出力される子機選択信号（２７）は複数の信号線で構成した場合を示し、ナースコール子機（３）にある子機選択回路（１２）の比較部（２５、２６）にて子機番号設定スイッチ（Ｓ１、Ｓ２、Ｓ３、Ｓ４、Ｓ５、Ｓ６）で設定した子機番号と比較して一致したとき一致信号（２８）が比較部（２５、２６）から出力されてスイッチ（１３）がＯＮ状態になる。
【００２４】
図７は、子機選択信号の信号線数を１本（または１ペア）にした構成を示す。信号の本数が少ないほどシリアルに接続するためには有利である。子機選択信号（２９）はパルス信号であり、パルス数でナースコール子機（３）を選択する。ナースコール子機（３）にある子機選択回路（１２）の計数部（３２）にて送られてきたパルス数を計数し、パルス数が子機番号設定スイッチ（Ｓ１、Ｓ２、Ｓ３、Ｓ４、Ｓ５、Ｓ６）で設定した子機番号と比較部（２５、２６）で比較され、一致していると一致信号（２８）が出力されてスイッチ（１３）がＯＮ状態になる。
【００２５】
子機選択信号（２９）は、信号幅が長いリセットパルス（３０）とリセットパルスに続いて送出されるパルス信号（３１）で構成する。リセットパルス（３０）はナースコール子機（３）の計数部（３２）をリセット状態にする信号で計数値を０にする。図７に示すパルス信号（３１）はパルス数が３であり、子機番号設定スイッチで子機番号を３に設定したナースコール子機（３）が選択されて通話することができる。
【００２６】
図７では子機選択信号（２９）をパルスで示したが、選択信号がパルスだけとは限定する必要はない。例えば、電圧値でも良い。電圧の場合は、ナースコール子機（３）で設定した子機番号に相当する電圧値と子機選択部（１１）から出力される電圧値とを比較して一致を検出する。
【００２７】
図８は、廊下灯（１）とナースコール子機（３）の通信をデジタル・シリアル信号で行うブロック図を示し、手段３に相当する。図では１つの通信線で双方向に通信する方式を示しているが、送信・受信線を別々に設けても良い。通信線の両端は、線路インピーダンスに整合された終端抵抗（３７）が接続される。従って、シリアルに接続されたナースコール子機（３）の内、最終端に接続するナースコール子機（３）には終端抵抗（３７）が接続される様にスイッチで設定する。
【００２８】
廊下灯（１）には、通信を制御する制御部（３３）があり、複数のナースコール子機（３）の通信が同時に発生するのを防止するため、ポーリング方式（子機を順番に呼び出し、許可を得た子機が通信する方式）を採用する。送信部（３４）は、パラレル信号をシリアル信号に変換して線路駆動部品（ラインドライバー・ラインレシーバ）（３６）を介して通信線に信号を送り出す。受信部（３５）は、線路から送られてきたシリアル信号をパラレル信号に変換して制御部（３３）へ渡す。
【００２９】
ナースコール子機（３）では、マイクロフォン（８）から入力した音声信号は符号化復号化部（３９）で符号化され、スピーカ（５）へ出力する音声信号は符号化復号化部（３９）でデジタル信号から音声に復号される。呼出ボタン（６）が押されると、呼出検出部（１５）にて呼び出しを検出して制御部（３８）へ通知する。子機番号設定スイッチ（４１）は、ナースコール子機の番号を設定することができ、廊下灯（１）からポーリング呼び出しで子機番号を指定してきた際に子機番号が一致していると、通信する権利を得て廊下灯（１）へ通信する。また、呼出ボタン（６）が押された場合に廊下灯（１）に子機番号を付加して呼び出しを知らせる。
【００３０】
複数のナースコール子機が同時にナースコール親機と通話することを考慮して廊下灯（１）とナースコール子機（３）との通信は通話が途切れないように充分な高速通信を確保する。
【００３１】
上記に廊下灯（１）とナースコール子機（３）との間の通信方式をポーリング方式と記述したが、必ずしもポーリング方式に限定されない。通信の衝突を検出する手段を設けるならばコンテンション方式でも構わない。
【００３２】
図８では、壁取り付け子機（２）は中継するだけを示したが、廊下灯（１）の送信部（３４）や受信部（３５）を壁取り付け子機（２）に設けても良い。また、壁取り付け子機（２）にはマイクロフォンやスピーカや表示灯を設けても構わないが、図示は省略する。
【００３３】
図３はアナログ信号（音声をアナログ信号で伝送）で扱い、図８はデジタル信号で扱うことを図示したが、音声信号はアナログ信号で伝送し、呼び出し信号や子機の選択信号はデジタル・シリアル信号で扱っても良い。これは図３と図８の折衷案であり、図示は省略する。
【図面の簡単な説明】
【００３４】
【図１】廊下灯、壁取り付け子機、ナースコール子機の接続図
【図２】ナースコール子機がシリアルに接続したブロック図
【図３】ナースコール子機を選択出来るシリアルに接続したブロック図
【図４】呼出ボタンの区別をしない接続例
【図５】呼出ボタンの区別を抵抗で行う接続例
【図６】ナースコール子機を複数信号線で選択するブロック図
【図７】ナースコール子機を単信号線で選択するブロック図
【図８】廊下灯とナースコール子機間をデジタル通信で行う構成図
【図９】ナースコール装置の従来の構成図
【符号の説明】
【００３５】
１    廊下灯
２    壁取り付け子機
３    ナースコール子機
４    接続線
５    スピーカ
６    呼出ボタン
７    接続コネクタ
８    マイクロフォン
９    増幅器
１０    線路インピーダンス整合部品（整合トランスなど）
１１    子機選択部
１２    子機選択回路
１３    選択スイッチ
１４    重み付けされた抵抗器
１５    呼出検出部
１６，１７，１８    呼出ボタン
１９，２０，２１    呼出ボタン
２２，２３，２４    重み付けされた抵抗器
２５，２６    比較部
２７    子機選択信号
２８    一致信号
２９    子機選択信号
３０    リセットパルス
３１    信号パルス
３２    計数部
３３    制御部
３４    送信部
３５    受信部
３６    線路駆動部品（ラインドライバー・ラインレシーバ）
３７    終端抵抗器
３８    制御部
３９    符号化復号化部
４０    子機番号入力部
４１    子機番号設定スイッチ
４２    ナースコール親機
４３    中継コネクタ
【図１】
2008136111.tif 000003
【図２】
2008136111.tif 000004
【図３】
2008136111.tif 000005
【図４】
2008136111.tif 000006
【図５】
2008136111.tif 000007
【図６】
2008136111.tif 000008
【図７】
2008136111.tif 000009
【図８】
2008136111.tif 000010
【図９】
2008136111.tif 000011